(57)【特許請求の範囲】
【請求項１】
無線方式で情報を送信し、当該送信した情報が受信機で受信された通信回線を介して緊急通報が行われる腕時計型送信機において、
内部に電力を供給するための二次電池と、
前記二次電池と略同一面上でその両側に配置された二次コイルと、を備え、
前記二次コイルと対向する位置に配置される一次コイルを有する充電器に、前記腕時計型送信機をセットし、前記充電器により電磁誘導を利用して前記二次電池の充電を行うことを特徴とする腕時計型送信機。
【請求項２】
前記充電器と前記受信機とは一体に構成されることを特徴とする請求項１に記載の腕時計型送信機。
【発明の詳細な説明】
【０００１】
【発明の属する技術分野】
本発明は、腕時計型送信機に関し、詳細には、無線方式で情報を送信し、当該送信した情報が受信機で受信されて通信回線を介して緊急通報が行われる腕時計型送信機に関する。
【０００２】
【従来の技術】
近時、緊急事態を通報するための緊急通報システムが販売されている。かかる緊急通報システムでは、無線を利用したペンダント型送信機や腕時計型送信機などを装着した人が体に異常をきたした場合に、その送信機の緊急ボタンを押すことにより緊急情報が受信機に送られ、受信機から電話回線等を介して緊急情報をセンターに知らせるものである。
【０００３】
上記腕時計型送信機においては、消費電流が大きいため一次電池を用いる場合には容量の大きなものを用い無くてはならないので、そのサイズが大きくなってしまうという問題があった。
【０００４】
他方、特定小電力タイプの送信機においては、「一般ユーザが容易に分解できない構造」にすることが法律上定められている。例えば、ペンダント型送信機の場合は、電池蓋があり電池交換時に無線機を分解できないような構造になっている。また、腕時計型送信機の場合は、電池交換のために裏蓋を開けると、無線機を分解できてしまうため、裏蓋の止めネジを特殊な形状にして特殊な工具がないと裏蓋が開けられないような構造になっている。
【０００５】
【発明が解決しようとする課題】
本発明は、上記に鑑みてなされたものであり、本体の小型化および電池交換を不要にして特定小電力タイプの送信機における容易に裏蓋を開けられない構造にするという法規制に対応することが可能な腕時計型送信機を提供することを目的とする。
【０００６】
【課題を解決するための手段】
上記課題を解決するために、本発明は、無線方式で情報を送信し、当該送信した情報が受信機で受信された通信回線を介して緊急通報が行われる腕時計型送信機において、内部に電力を供給するための二次電池と、前記二次電池と略同一面上でその両側に配置された二次コイルと、を備え、前記二次コイルと対向する位置に配置される一次コイルを有する充電器に、前記腕時計型送信機をセットし、前記充電器により電磁誘導を利用して前記二次電池の充電を行うことを特徴とする。
【０００８】
また、本発明は、前記充電器と前記受信機とは一体に構成されることを特徴とする。上記発明によれば、充電器と受信機を一体構造とする。
【０００９】
【発明の実施の形態】
以下、図面を参照して、本発明にかかる腕時計型送信機の好適な実施の形態を詳細に説明する。
【００１０】
図１は、本実施の形態にかかる緊急通報システムの概略構成を示す図である。同図において、１は緊急通報システムを示しており、この緊急通報システム１は、主として、緊急時に無線方式で情報を受信機１５に送信する腕時計型送信機１０と、腕時計型送信機１０から送信される情報を受信する受信機１５とから構成されている。
【００１１】
腕時計型送信機１０は、使用者が腕に装着して緊急時に無線方式で情報を受信機１５に送信するものであり、腕時計型送信機本体１１と、使用者が緊急時にボタンを押して情報を発信するための緊急ボタン１２と、腕時計型送信機本体１１に設けられており、使用者が腕に装着するためのバンド１３とを備えている。
【００１２】
受信機１５は、アンテナ１４を備えており、アンテナ１４を介して腕時計型送信機１０から送出される情報を受信して、緊急情報をＮＣＵ１６に送信する。ＮＣＵ１６は、受信機１５に接続され、受信機１５から入力される緊急情報を電話回線１７を介して、緊急センター１８に送信する。緊急センター１８は、電話回線１７に接続されており、電話回線１７を介して入力される使用者の緊急情報を収集し、救急車の手配等を行う。
【００１３】
つぎに、上記構成の緊急通報システム１の動作を説明する。腕時計型送信機１０を装着した使用者は、緊急時に緊急ボタン１２を押す。これにより、腕時計型送信機１０内のアンテナ（不図示）から送信電波が送信される。受信機１５では、アンテナ１４を介して、腕時計型送信機１０の送信電波を受信して電文解析を行う。この結果、受信機１５は、緊急状態であると判断した場合、受信機１５に接続されているＮＣＵ１６に緊急情報を送出し、ＮＣＵ１６により電話回線１７を通じて緊急センター１８に通報される。
【００１４】
図２は、上記腕時計型送信機本体および充電器の構成を示す図である。同図において、３０は、腕時計型送信機１０の二次電池を充電するための充電器を示している。
【００１５】
腕時計型送信機本体１１は、無線回路２４に電力を供給するための２次電池２２、二次電池２２を充電器３０により充電するするための二次コイル２３、緊急ボタン１２が押された場合に、無線方式で情報を送信するための無線回路２４、無線回路２４の上方に設けられた中枠２５、中枠２５に設けられたムーブメント２６、腕時計型送信機本体１１の内部を覆うケース２７、および裏蓋２８を備えている。
【００１６】
充電器３０は、台型状を呈しその台部に腕時計型送信機本体１１をセットして、腕時計型送信機本体１１の二次電池２２を電磁誘導を利用して充電を行うものであり、一次コイル３１と、ＡＣコード３２等を備えている。
【００１７】
つぎに、腕時計型送信機本体１１の二次電池２２の充電動作を説明する。充電器３０の一次コイル３１により発生する交流磁界を腕時計型送信機本体１１の二次コイル２３で受け、磁界の変化を電気的変化に変換し、発生した誘起電圧により二次電池２２を充電する。なお、ここでは、充電器３０と受信機１５とを別体としているが、充電器３０と受信機１５とを一体構造とすることにしても良い。
【００１８】
以上説明したように、本実施の形態によれば、腕時計型送信機１１に、電池交換を不要とするために、内部に電力を供給するための二次電池２２を設けたので、電池容量が大きい一次電池を使用する必要がなくなり、時計全体を小型・薄型にすることができ、また、電池交換を行なう必要がないため、特定小電力タイプの時計型無線送信機の容易に裏蓋を開けられないようにするという法規制に容易に対応することが可能となる。
【００１９】
また、本実施の形態においては、腕時計型送信機１０を充電器３０にセットし、当該充電器３０により電磁誘導を利用して腕時計型送信機１０の二次電池２２の充電を行うこととしたので、腕時計型送信機１０に充電用の接点を用意する必要が無くなり、充電用接点のショートがなく耐水性を確保することが可能となる。
【００２０】
また、本実施の形態においては、充電器３０と受信機１５を一体に構成することとしたので、充電器３０と受信機１５の共通部品（例えば、電源部など）を省略でき、製品コストを下げることが可能となる。また、腕時計型送信機１０を装着しない場合には、受信機１５と一体に構成される充電器３０にセットしておけば紛失の可能性がなくなる。
【００２１】
なお、本発明は、上記した実施の形態に限定されるものではなく、発明の要旨を変更しない範囲で適宜変形可能である。
【００２２】
【発明の効果】
以上説明したように、本発明にかかる腕時計型送信機によれば、無線方式で情報を送信し、当該送信した情報が受信機で受信されて通信回線を介して緊急通報が行われる腕時計型送信機において、電池交換を不要とすべく、内部に電力を供給するための二次電池を備えたので、電池容量が大きい一次電池を使用する必要がなくなり、時計全体を小型・薄型にすることができ、また、電池交換を行なう必要がないため、特定小電力タイプの時計型無線送信機の容易に裏蓋を開けられないようにするという法規制に容易に対応することが可能となる。
【００２３】
また、本発明にかかる腕時計型送信機によれば、腕時計型送信機を充電器にセットし、当該充電器により電磁誘導を利用して二次電池の充電を行うので、腕時計型送信機に充電用の接点を用意する必要が無くなり、充電用接点のショートがなく耐水性を確保することが可能となる。
【００２４】
また、本発明にかかる腕時計型送信機によれば、充電器と受信機を一体構造とすることとしたので、充電器と受信機の共通部品（例えば、電源部など）を省略でき、製品コストを下げることが可能となる。
【図面の簡単な説明】
【図１】本実施の形態にかかる緊急通報システムの概略構成を示す図である。
【図２】腕時計型送信機本体および充電器の構成を示す図である。
【符号の説明】
１      緊急通報システム
１０    腕時計型送信機
１１    腕時計型送信機本体
１２    緊急ボタン
１３    バンド
１４    アンテナ
１５    受信機
１６    ＮＣＵ
１７    電話回線
１８    緊急センター
２２    二次次電池
２３    二次コイル
２４    無線回路
２５    中枠
２６    ムーブメント
２７    ケース
２８    裏蓋
３０    充電器
３１    一次コイル
３２    ＡＣコード
【図１】
0003957152.tif 000002
【図２】
0003957152.tif 000003